(57)【要約】  本発明は、セットアップされているコネクションを第２の無線通信システムにハンドオーバーするための方法に関する。メッセージ伝送には第１の無線通信システムに第１の無線通信規格、第２の無線通信システムに第２の無線通信規格が使用され、無線通信端末は、第１の無線通信システムの隣接無線セルの他にさらに隣接する第２の無線通信システムの無線セルを監視し、第１及び第２の無線通信システムの監視無線セルの有効に測定された信号レベルがネットワーク側制御装置に伝送される。無線通信端末は第２の無線通信システムの無線セル監視の際に測定による信号レベルの形成が時折実施されなかった場合、予め定められた信号レベルを制御装置に伝送し、無線通信端末側では有効に測定された信号レベルと予め定められた信号レベルの区別に使用されるシンボルが利用され、コネクションハンドオーバーの際には有効に測定された信号レベルのみが考慮される。【特許請求の範囲】
【請求項１】
マルチモード無線通信端末と第１の無線通信システムの間でセットアップされているコネクションを第２の無線通信システムにハンドオーバーするための方法であって、
メッセージ伝送のために第１の無線通信システムが第１の無線通信規格を使用し、第２の無線通信システムは第２の無線通信規格を使用し、
前記無線通信端末は、第１の無線通信システムの隣接する無線セルの他にさらに隣接する第２の無線通信システムの無線セルを測定によって監視し、
前記無線通信端末は、第１及び第２の無線通信システムの監視されている無線セルの有効に測定された信号レベルをネットワーク側の制御装置に伝送し、
前記無線通信端末は、第２の無線通信システムの無線セル監視の際に測定による信号レベルの形成が時折実施されなかった場合に、予め定められている信号レベルを制御装置に伝送する形式の方法において、
無線通信端末の側で使用されるシンボルによって、有効に測定された信号レベルと予め定められた信号レベルの違いがネットワーク側で区別され、
制御装置によって制御されるコネクションハンドオーバーの際に、有効に測定された信号レベルのみが考慮されるようにしたことを特徴とする方法。
【請求項２】
予め定められた測定領域の最小値が予め定められた信号レベルとして用いられ、この最小信号レベルがネットワーク側でシンボルとして検出され、制御装置はこのようにマーキングされた信号レベルはコネクションハンドオーバーの際に考慮しないようにする、請求項１記載の方法。
【請求項３】
コネクションハンドオーバーに対する決定のために、予め定められた期間内で有効に測定された信号レベルの最小の数を規定する閾値を利用し、該閾値を上回った場合にコネクションハンドオーバーを行うようにする、請求項１又は２記載の方法。
【請求項４】
前記閾値は、ネットワークプロバイダ側で個別に設定される、請求項３記載の方法。
【請求項５】
第１の無線通信システムにおけるメッセージ伝送に対してＵＭＴＳ標準規格が用いられ、第２の無線通信システムにおいてはＣＤＭＡ２０００標準規格又はＩＥＥＥ８０２．１１標準規格又はＩＥＥＥ８１６ｅ標準規格が無線通信に用いられる、請求項１から４いずれか１項記載の方法。
【請求項６】
制御装置としてＩＥＥＥ８０２標準規格のエアーインターフェースを支援するアクセスポイントネットワーク要素が用いられる、請求項５記載の方法。
【請求項７】
第１の無線通信システムにおけるメッセージ伝送に対して、ＧＳＭ無線通信規格のＧＳＭ無線通信システムが用いられる、請求項１から４いずれか１項記載の方法。
【請求項８】
第２の無線通信システムにおけるメッセージ伝送に対して、ＵＴＲＡ−ＦＤＤ若しくはＵＴＲＡ−ＴＤＤ無線通信規格のＵＭＴＳ無線通信システムが用いられる、請求項１から４いずれか１項記載の方法。
【請求項９】
制御装置としてＧＳＭ規格若しくはＵＴＲＡ規格の基地局システムが用いられる、請求項７又は８記載の方法。
【請求項１０】
有効に測定された信号レベルの確定に用いられる測定窓を閾値を下回った場合に拡大させる、請求項１から９いずれか１項記載の方法。
【請求項１１】
測定された信号レベルと予め定められた信号レベルをそれぞれ分離して測定値レポートとしてネットワーク側に伝送し、その際に各測定値レポートをシンボルでマーキングして区別できるようにする、請求項１から１０いずれか１項記載の方法。
【請求項１２】
請求項１から１１いずれか１項記載の方法の実施に適していることを特徴とする無線通信端末。
【請求項１３】
請求項１から１１いずれか１項記載の方法の実施に適していることを特徴とする基地局システム又はアクセスポイントネットワーク要素。
【発明の詳細な説明】
【技術分野】
【０００１】
本発明は、請求項１の上位概念による、無線通信端末と第１の無線通信システムの間でセットアップされているコネクションを第２の無線通信システムにハンドオーバーするための方法に関している。
【０００２】
背景技術
この場合メッセージの伝送に対しては第１の無線通信システムに第１の無線伝送標準規格が割当てられており、それに対して第２の無線通信システムには、第２の無線伝送標準規格が割当てられている。
【０００３】
メッセージの伝送に対して複数の無線通信標準規格が利用可能であるいわゆるマルチモード無線通信端末も公知である。適切な無線標準規格の選択は、例えば伝送すべきサービスに依存して行われる。そのため例えばＧＳＭ／ＵＭＴＳ無線通信端末のもとでは、音声サービスの伝送がＧＳＭ無線通信標準規格を用いて行われ、それに対して要求されたビデオ伝送はＵＭＴＳ無線通信標準規格を用いて行われる。このＵＭＴＳ無線通信標準規格の場合、いわゆるＵＴＲＡ−ＦＤＤ無線伝送方式とＵＴＲＡ−ＴＤＤ無線伝送方式の間で違いがある。
【０００４】
この種の無線通信端末は、測定データを用いて、第１の無線通信システムの目下活動中の隣接する無線セルも、場合によっては接続を形成していた第２の無線通信システムの隣接する無線セルも監視する。従って測定データは、第１の無線通信システムのネットワーク側へ伝送される。この監視は、第１の無線通信システムにセットアップされている無線通信端末とさらなる別の無線通信システム（ここでは第２の無線通信システム）の無線通信端末間でのいわゆるハンドオーバーとも称されるコネクションの引渡しのもとでも行われる。
【０００５】
以下では、他の無線伝送標準規格に対する例としてＧＳＭ/ＵＴＲＡ−ＦＤＤ方式のマルチモード無線通信端末を説明する。
【０００６】
このＧＳＭとＵＴＲＡ−ＦＤＤの無線伝送規格は、それぞれの提供する能力特性に基づいて大きく異なっている。ＧＳＭ無線伝送規格において無線セルの監視に使用される測定窓ないしは使用可能な測定時間は、隣接するＧＳＭ無線セルの監視のためには十分ではあるが、しかしながら少なくとも３つの隣接するＵＭＴＳ無線セルの監視に対しては適さない場合もある。
【０００７】
さらなる別の欠点は、実施コストの最小化に対してＧＳＭ/ＵＴＲＡ−ＦＤＤ方式の無線通信端末は、ＧＳＭ方式とＵＴＲＡ−ＦＤＤ方式に対して唯一つの共通のベースバンド信号処理装置しか持たない点である。この装置は、２つの無線伝送規格の順次連続した信号処理のために構成されており、これらの２つの標準規格の信号のベースバンド信号処理を同時に行うことは不可能である。そのため監視期間中は選択された一方の無線伝送規格の信号処理しかできない。
【０００８】
つまり監視期間内では、たとえ時間位置から第２の無線通信システムの隣接する無線セルの測定が可能であったとしても、第１の無線通信規格のべーバンド信号ないしは測定値だけしか処理することができない。従って第２の無線通信システムの無線セルに関する有効な測定値をネットワーク側へ伝送することは不可能である。
【０００９】
ＵＭＴＳ方式の無線セルの監視は、例えば３つのＵＭＴＳ無線セルのいわゆる"共通パイロットチャネル"ＣＰＩＣＨにおける測定によって行われる。それに対してＧＳＭ方式の無線セルの監視は、いわゆる"報知制御チャネル"ＢＣＣＨにおける測定によって行われる。測定値としては例えば所属の信号レベルＲＸＬＥＶが求められる。
【００１０】
ＧＳＭ無線通信システム内で作動しているＧＳＭ/ＵＴＲＡ−ＦＤＤ無線通信端末は、いわゆる低速付随制御チャネルＳＡＣＣＨの各周期において得られた信号レベルを測定値レポートの中で自身に割当てられている基地局システム（ＢＳＳ）に報知している。
【００１１】
例示的に取り上げられたＧＳＭ/ＵＴＲＡ−ＦＤＤ無線通信端末は、前述してきたような理由からＧＳＭ無線伝送規格からＵＴＲＡ−ＦＤＤ無線伝送規格へのコネクションハンドオーバーに対して必要とされる測定信号レベルを連続的に検出し伝送する立場にはない。このような理由から、有効な測定信号レベルの形成が不可能である場合にはいつでも、予め与えられた信号レベルが測定値レポートにおいてネットワーク側ないしは本願の実施例によれば基地局システム（ＢＳＳ）へ伝送ないし報知される。この予め与えられる信号レベルは、測定値レポートの値範囲内で最小値を有している。
【００１２】
基地局システムＢＳＳの側では、ハンドオーバーが実施されるべきなのかどうなのかの決定が、有効な信号レベルの測定値もそのつどの測定レポートの所定の信号レベルも考慮した平均値に基づいて下される。それによりこのような平均値に基づく決定は不正確である。
【００１３】
発明が解決しようとする課題
本発明の課題は、マルチモード無線通信端末と第１の無線通信システムの間でセットアップされているコネクションを第２の無線通信システムにハンドオーバーするための決定を正確に下せるように改善を行うことである。
【００１４】
課題を解決するための手段
この課題は請求項１の特徴部分に記載の構成により解決される。有利な実施形態は従属請求項に記載されている。
【００１５】
発明を実施するための最良の形態
本発明によれば、有効に測定された信号レベルが含まれている測定値レポートを、予め与えられた信号レベルが含まれている測定値レポートから区別できるようにするために、無線通信端末の側でシンボルが利用される。そしてこのシンボルと一緒にそのつどの測定値レポートがネットワーク側に配置されている制御装置に伝送され、この制御装置は、コネクションハンドオーバーを実施すべきか否かに関する決定を下す。
【００１６】
それにより例えば、有効に測定された信号レベルを伴う測定値レポート若しくは予め与えられた信号レベルを伴う測定値レポートがシンボルによって特徴付けられる。この特徴付けに対してはさらに付加的にあるいは代替的に、相応のシンボルによる個々の信号レベルの相応のマーキングがなされてもよい。
【００１７】
このシンボルによって、制御装置の側で、有効に測定された信号レベルと予め与えられた信号レベルの区別ができるようになると共に実際に測定された信号レベルに基づくだけで開始すべきハンドオーバーに対する決定を下すことが可能となる。
【００１８】
これに応じてコネクションハンドオーバーに対する決定もより正確になる。
【００１９】
多くのケースにおいて接続の移行ないしは個々のコネクションハンドオーバーが本発明によって初めて可能となる。なぜなら平均値は、有効な信号レベルが考慮された場合にのみ所要の決定閾値に達するからである。
【００２０】
従来技術に従って全ての信号レベル（有効に測定されたものか予め定められたものかは関係ない）が平均値形成の際に考慮されるケースでは、高い確率で決定閾値は達成されない。それにより複数の無線通信規格間のインターシステムハンドオーバーは実際の適用ケースにおいて行われない。
【００２１】
シンボルは、有利な構成例によれば測定値領域からの値の補間によって形成される。この状況において測定が実施されていない場合には、無線通信端末は予め設定された信号レベルとして測定値領域からの最小信号レベルを送信する。それに対して最小信号レベルが実際に測定されている場合には、この最小信号レベルではなく、測定値領域におけるその次に高い信号レベルが伝送される。その結果として低い信号レベル領域における測定精度は僅かだけ悪化してしまうが、しかしながら有利には識別目的のための付加的シンボルの伝送が節約できる。
【００２２】
制御装置の側では、基地局システムＢＳＳにおいてコネクションハンドオーバーに対する決定を下すのに用いるアルゴリズムが使用される。このアルゴリズムは前述した有利な改善例に対しては次のように構成される。すなわち最小信号レベルを含んだ測定値レポートが平均値形成の際に考慮されないように構成される。この本発明による有利な実施例は付加的に必要とされるシンボルを回避させる。このシンボルはそのほかでは通信プロトコルに付加されなければならないものである。測定値領域からのただ１つの最小値だけがシンボルとしての新たな解釈を含み、測定された信号レベル若しくは予め定められた信号レベルの識別目的に利用できる。
【００２３】
別の有利な構成例によれば、所定の期間内で有効な信号レベル測定値の最小数を定める新たな閾値が導入される。この最小数は、有利にはネットワークプロバイダからいわゆるオペーレーション・アンド・メンテナンスパラメータとして選択される。この閾値を上回り、求められた平均値がハンドオーバー閾値の上方にある時には、コネクションハンドオーバーが開始される。それによりコネクションハンドオーバーの際の精度の向上が得られる。
【００２４】
有効な測定ないし測定値の数が所定の閾値を下回ると、それらはアルゴリズムによって関連性なしのものとして放棄され、ハンドオーバーは開始されない。
【００２５】
その他にも、閾値を下回った場合に適切な数の測定信号レベルを形成して伝送するのに使用可能な測定窓を拡大することも可能である。
【００２６】
本発明による方法では様々な無線伝送規格の考えられ得る全ての組合わせが利用できる。特にＵＭＴＳ規格とＣＤＭＡ２０００規格及び／又はＩＥＥＥ８０２.１１規格及び／又はＩＥＥＥ８１６ｅ規格の組合わせが利用できる。
【００２７】
これらのケースに対する有利な構成例によれば、ＩＥＥＥ８０２規格のエアーインターフェースを支援するいわゆるアクセスポイントネットワーク要素が制御装置として用いられる。このアクセスポイントネットワーク要素は、エアーインターフェースを用いたイーサーネットＬＡＮシステムから端末ないし無線通信端末への伝送を表す。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
マルチモード無線通信端末と第１の無線通信システムの間でセットアップされているコネクションを第２の無線通信システムにハンドオーバーするための方法であって、
メッセージ伝送のために第１の無線通信システムが第１の無線通信規格を使用し、第２の無線通信システムは第２の無線通信規格を使用し、
前記無線通信端末は、第１の無線通信システムの隣接する無線セルの他にさらに隣接する第２の無線通信システムの無線セルを測定によって監視し、
前記無線通信端末は、第１及び第２の無線通信システムの監視されている無線セルの有効に測定された信号レベルをネットワーク側の制御装置に伝送し、
前記無線通信端末は、第２の無線通信システムの無線セル監視の際に測定による信号レベルの形成が時折実施されなかった場合に、予め定められている信号レベルを制御装置に伝送する形式の方法において、
無線通信端末の側で使用されるシンボルによって、有効に測定された信号レベルと予め定められた信号レベルの違いがネットワーク側で区別され、
制御装置によって制御されるコネクションハンドオーバーの際に、有効に測定された信号レベルのみが考慮されるようにしたことを特徴とする方法。
【請求項２】
前記無線通信端末は、測定による信号レベルの形成が時折実施されなかった場合に、予め定められている測定値領域の最小信号レベルを予め定められた信号レベルとして伝送し、
前記無線通信端末は、実際の測定による最小信号レベルのケースに対して最小信号レベルの代わりに測定値領域における次に高い信号レベルをネットワーク側に伝送し、
前記最小信号レベルは、ネットワーク側で有効な信号レベルと予め定められた信号レベルを区別するためのシンボルとして検出される、請求項１記載の方法。
【請求項３】
コネクションハンドオーバーに対する決定のために、予め定められた期間内で有効に測定された信号レベルの最小の数を規定する閾値を利用し、該閾値を上回った場合にコネクションハンドオーバーを行うようにする、請求項１又は２記載の方法。
【請求項４】
前記閾値は、ネットワークプロバイダ側で個別に設定される、請求項３記載の方法。
【請求項５】
第１の無線通信システムにおけるメッセージ伝送に対してＵＭＴＳ標準規格が用いられ、第２の無線通信システムにおいてはＣＤＭＡ２０００標準規格又はＩＥＥＥ８０２．１１標準規格又はＩＥＥＥ８１６ｅ標準規格が無線通信に用いられる、請求項１から４いずれか１項記載の方法。
【請求項６】
制御装置としてＩＥＥＥ８０２標準規格のエアーインターフェースを支援するアクセスポイントネットワーク要素が用いられる、請求項５記載の方法。
【請求項７】
第１の無線通信システムにおけるメッセージ伝送に対して、ＧＳＭ無線通信規格のＧＳＭ無線通信システムが用いられる、請求項１から４いずれか１項記載の方法。
【請求項８】
第２の無線通信システムにおけるメッセージ伝送に対して、ＵＴＲＡ−ＦＤＤ若しくはＵＴＲＡ−ＴＤＤ無線通信規格のＵＭＴＳ無線通信システムが用いられる、請求項１から４いずれか１項記載の方法。
【請求項９】
制御装置としてＧＳＭ規格若しくはＵＴＲＡ規格の基地局システムが用いられる、請求項７又は８記載の方法。
【請求項１０】
閾値を下回った場合に、有効に測定された信号レベルの確定に用いられる測定窓が拡大される、請求項１から９いずれか１項記載の方法。
【請求項１１】
測定された信号レベルと予め定められた信号レベルをそれぞれ分離して測定値レポートとしてネットワーク側に伝送し、その際に各測定値レポートをシンボルでマーキングして区別できるようにする、請求項１から１０いずれか１項記載の方法。
【請求項１２】
請求項１から１１いずれか１項記載の方法の実施に適していることを特徴とする無線通信端末。
【請求項１３】
請求項１から１１いずれか１項記載の方法の実施に適していることを特徴とする基地局システム又はアクセスポイントネットワーク要素。
【国際調査報告】
2007538438.tif 000002
2007538438.tif 000003
2007538438.tif 000004
2007538438.tif 000005
2007538438.tif 000006
2007538438.tif 000007